(57)【要約】      （修正有）【課題】荷物の仕分け処理量を向上させる。【解決手段】メインラインコンベヤ１とサブラインコンベヤ２の直交部に設けられた二つの浮き出し式ソータ３とを含む荷物仕分けラインであって、サブラインコンベヤは、二つの分岐コンベヤからなり、二つの浮き出し式ソータはメインラインコンベヤの搬送方向に設けられ、メインラインコンベヤの搬送方向に荷物を搬送する搬送ローラと、この搬送ローラを挟んで上昇又は下降する二つの巻き掛け搬送体とを含み、荷物が浮き出し式ソータに到着したとき、巻き掛け搬送体の上昇時には荷物が巻き掛け搬送体上に載り、荷物を分岐コンベヤに引き渡し、下降時には荷物が搬送ローラ上に載り、搬送ローラによって下流のメインラインコンベヤに引き渡し、前側の浮き出し式ソータの巻き掛け搬送体は一方の分岐コンベヤに荷物を引き渡し、後側の浮き出し式ソータの巻き掛け搬送体は他方の分岐コンベヤに荷物を引き渡す。【選択図】図２
2011073828.tif 000002
【特許請求の範囲】
【請求項１】
メインラインコンベヤと、前記メインラインコンベヤと直交して設けられたサブラインコンベヤと、前記メインラインコンベヤと前記サブラインコンベヤの直交部に設けられた二つの浮き出し式ソータとを含む荷物仕分けラインであって、前記サブラインコンベヤは、前記メインラインコンベヤの両側に分岐して設けられかつ互いに離れる方向を搬送方向とする二つの分岐コンベヤからなり、前記二つの浮き出し式ソータは前記メインラインコンベヤの搬送方向に前後して設けられており、前記二つの浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記二つの浮き出し式ソータのうち前側の浮き出し式ソータの巻き掛け搬送体は一方の分岐コンベヤのみに荷物を引き渡し、後側の浮き出し式ソータの巻き掛け搬送体は他方の分岐コンベヤのみに荷物を引き渡すようになっていることを特徴とする荷物仕分けライン。
【請求項２】
メインラインコンベヤと、前記メインラインコンベヤと直交して設けられたサブラインコンベヤと、前記メインラインコンベヤと前記サブラインコンベヤの直交部に設けられた二つの浮き出し式ソータとを含む荷物仕分けラインであって、前記サブラインコンベヤは、前記メインラインコンベヤの両側に分岐して設けられかつ互いに離れる方向を搬送方向とする二つの分岐コンベヤからなり、前記二つの浮き出し式ソータは前記二つの分岐コンベヤ間で前後して設けられており、前記二つの浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記二つの浮き出し式ソータのそれぞれの巻き掛け搬送体は近い方の分岐コンベヤのみに荷物を引き渡すようになっており、前記メインラインコンベヤは、前記浮き出し式ソータに到達する前の荷物を前記二つの浮き出し式ソータのうちのいずれかの側に載せるように荷物を前記メインラインコンベヤのいずれかの側に片寄せするための片寄せ機構を持つことを特徴とする荷物仕分けライン。
【請求項３】
メインラインコンベヤと、前記メインラインコンベヤと直交して設けられたサブラインコンベヤと、前記メインラインコンベヤと前記サブラインコンベヤの直交部に設けられた浮き出し式ソータとを含む荷物仕分けラインであって、前記サブラインコンベヤは、前記メインラインコンベヤの片側に分岐して設けられかつ前記メインラインコンベヤから離れる方向を搬送方向とする分岐コンベヤからなり、前記浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっていることを特徴とする荷物仕分けライン。
【請求項４】
メインラインコンベヤと、前記メインラインコンベヤと直交して設けられたサブラインコンベヤと、前記メインラインコンベヤと前記サブラインコンベヤの直交部に設けられた浮き出し式ソータとを含む荷物仕分けラインであって、前記サブラインコンベヤは、前記メインラインコンベヤの片側に分岐して設けられかつ前記メインラインコンベヤから離れる方向を搬送方向とする分岐コンベヤからなり、前記浮き出し式ソータは前記メインラインコンベヤの前記分岐コンベヤ側から前記メインラインコンベヤの幅の３０〜９０％の長さで設けられており、前記浮き出し式ソータが設けられていない前記メインラインコンベヤの残りの幅の部分は荷物を前記メインラインコンベヤの搬送方向に促すようになっており、前記浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記メインラインコンベヤは、前記浮き出し式ソータに到達する前の荷物を前記スライドコンベヤ側又は前記浮き出し式ソータが設けられていない前記メインラインコンベヤの幅の部分の側に載せるように荷物を前記メインラインコンベヤのいずれかの側に片寄せするための片寄せ機構を持つことを特徴とする荷物仕分けライン。
【請求項５】
前記メインラインコンベヤと前記分岐コンベヤが２０〜８０ｃｍ離れており、前記浮き出し式ソータの巻き掛け搬送体が前記メインラインコンベヤの幅からはみ出して、離れた前記メインラインコンベヤと前記分岐コンベヤを連結していることを特徴とする請求項１〜４のいずれかに記載の荷物仕分けライン。
【発明の詳細な説明】
【技術分野】
【０００１】
本発明は、浮き出し式ソータを使用してメインラインコンベヤ上の荷物を直交して設けられたサブラインコンベヤ上に引き渡すことができる荷物仕分けラインにおいて、荷物の仕分け処理量を大幅に向上させたものに関する。浮き出し式ソータはポップアップ式ソータとも呼ばれる。
【背景技術】
【０００２】
従来の浮き出し式ソータを使用した荷物仕分けラインを図１に示す。図１において、荷物仕分けラインはメインラインコンベヤ１と、それに直交して設けられた二つの分岐コンベヤからなるサブラインコンベヤ２と、メインラインコンベヤ１とサブラインコンベヤ２の直交部に設けられた浮き出し式ソータ３とから構成されている。従来の浮き出し式ソータは、荷物をメインラインコンベヤの搬送方向に搬送するように回転する搬送ローラと、この搬送ローラを挟んで上昇又は下降する巻き掛け搬送体を含み、荷物が浮き出し式ソータに到達したとき、巻き掛け搬送体の上昇時には荷物が巻き掛け搬送体上に載り、巻き掛け搬送体が予め知らされた仕分け方向に従って荷物をサブラインコンベヤの二つの分岐コンベヤのいずれかに引き渡すように巻き掛け搬送体のベルトが正逆方向を自在に回転するようになっており、巻き掛け搬送体の下降時には荷物が搬送ローラ上に載り、搬送ローラによって荷物を搬送方向のメインコンベヤに引き渡すようになっている。かかる浮き出し式ソータを使用した荷物仕分けラインは、例えば特許文献１に開示されている。
【０００３】
しかしながら、上記の従来の荷物仕分けラインは、浮き出し式ソータの巻き掛け搬送体が荷物の種類によって二つの分岐コンベヤのいずれかに引き渡すように、巻き掛け搬送体のベルトが正逆方向を選択して回転するようになっているため、ベルトの正逆方向の変換時にはいったんベルトの動きを停止することが必要であり、その結果、ベルトの正逆方向の動きの変換を迅速に行なうことができず、荷物の仕分け処理量に限界があった。
【先行技術文献】
【特許文献】
【０００４】
【特許文献１】特公昭５２−７２３７号公報
【発明の概要】
【発明が解決しようとする課題】
【０００５】
本発明は、かかる従来技術の問題に鑑み創案されたものであり、その目的は、浮き出し式ソータを使用してメインラインコンベヤ上の荷物を直交して設けられたサブラインコンベヤ上に引き渡すことができる荷物仕分けラインにおいて、荷物の仕分け処理量を大幅に向上させることにある。
【課題を解決するための手段】
【０００６】
本発明者は、かかる目的を達成するために鋭意検討した結果、従来のように一つの浮き出し式ソータを用いて巻き掛け搬送体のベルトの動きを正逆方向に反転させて荷物をサブラインコンベヤのいずれかの分岐コンベヤに仕分けるのではなく、二つの浮き出し式ソータを用いてそれぞれの巻き掛け搬送体のベルトをサブラインコンベヤの分岐コンベヤのいずれか一つの方向だけしか動かないようにし、この二つの浮き出し式ソータを特定の配置で設置することにより、巻き掛け搬送体のベルトの動きの反転作業がなくてもサブラインコンベヤの分岐コンベヤのいずれにも荷物を迅速に仕分けることができ、その結果、荷物の仕分け処理量が格段に向上することを見出し、本発明の完成に至った。
【０００７】
即ち、本発明は、以下の（１）〜（５）の構成を有するものである。
（１）メインラインコンベヤと、前記メインラインコンベヤと直交して設けられたサブラインコンベヤと、前記メインラインコンベヤと前記サブラインコンベヤの直交部に設けられた二つの浮き出し式ソータとを含む荷物仕分けラインであって、前記サブラインコンベヤは、前記メインラインコンベヤの両側に分岐して設けられかつ互いに離れる方向を搬送方向とする二つの分岐コンベヤからなり、前記二つの浮き出し式ソータは前記メインラインコンベヤの搬送方向に前後して設けられており、前記二つの浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記二つの浮き出し式ソータのうち前側の浮き出し式ソータの巻き掛け搬送体は一方の分岐コンベヤのみに荷物を引き渡し、後側の浮き出し式ソータの巻き掛け搬送体は他方の分岐コンベヤのみに荷物を引き渡すようになっていることを特徴とする荷物仕分けライン。
（２）メインラインコンベヤと、前記メインラインコンベヤと直交して設けられたサブラインコンベヤと、前記メインラインコンベヤと前記サブラインコンベヤの直交部に設けられた二つの浮き出し式ソータとを含む荷物仕分けラインであって、前記サブラインコンベヤは、前記メインラインコンベヤの両側に分岐して設けられかつ互いに離れる方向を搬送方向とする二つの分岐コンベヤからなり、前記二つの浮き出し式ソータは前記二つの分岐コンベヤ間で前後して設けられており、前記二つの浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記二つの浮き出し式ソータのそれぞれの巻き掛け搬送体は近い方の分岐コンベヤのみに荷物を引き渡すようになっており、前記メインラインコンベヤは、前記浮き出し式ソータに到達する前の荷物を前記二つの浮き出し式ソータのうちのいずれかの側に載せるように荷物を前記メインラインコンベヤのいずれかの側に片寄せするための片寄せ機構を持つことを特徴とする荷物仕分けライン。
（３）メインラインコンベヤと、前記メインラインコンベヤと直交して設けられたサブラインコンベヤと、前記メインラインコンベヤと前記サブラインコンベヤの直交部に設けられた浮き出し式ソータとを含む荷物仕分けラインであって、前記サブラインコンベヤは、前記メインラインコンベヤの片側に分岐して設けられかつ前記メインラインコンベヤから離れる方向を搬送方向とする分岐コンベヤからなり、前記浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっていることを特徴とする荷物仕分けライン。
（４）メインラインコンベヤと、前記メインラインコンベヤと直交して設けられたサブラインコンベヤと、前記メインラインコンベヤと前記サブラインコンベヤの直交部に設けられた浮き出し式ソータとを含む荷物仕分けラインであって、前記サブラインコンベヤは、前記メインラインコンベヤの片側に分岐して設けられかつ前記メインラインコンベヤから離れる方向を搬送方向とする分岐コンベヤからなり、前記浮き出し式ソータは前記メインラインコンベヤの前記分岐コンベヤ側から前記メインラインコンベヤの幅の３０〜９０％の長さで設けられており、前記浮き出し式ソータが設けられていない前記メインラインコンベヤの残りの幅の部分は荷物を前記メインラインコンベヤの搬送方向に促すようになっており、前記浮き出し式ソータは、前記メインラインコンベヤの搬送方向に荷物を搬送する搬送ローラと、この搬送ローラを挟んで上昇又は下降する二つの巻き掛け搬送体とを含み、荷物が前記浮き出し式ソータに到着したとき、前記巻き掛け搬送体の上昇時には荷物が前記巻き掛け搬送体上に載り、前記巻き掛け搬送体によって荷物を前記分岐コンベヤに引き渡し、前記巻き掛け搬送体の下降時には荷物が前記搬送ローラ上に載り、前記搬送ローラによって荷物を下流の前記メインラインコンベヤに引き渡すようになっており、前記メインラインコンベヤは、前記浮き出し式ソータに到達する前の荷物を前記スライドコンベヤ側又は前記浮き出し式ソータが設けられていない前記メインラインコンベヤの幅の部分の側に載せるように荷物を前記メインラインコンベヤのいずれかの側に片寄せするための片寄せ機構を持つことを特徴とする荷物仕分けライン。
（５）前記メインラインコンベヤと前記分岐コンベヤが２０〜８０ｃｍ離れており、前記浮き出し式ソータの巻き掛け搬送体が前記メインラインコンベヤの幅からはみ出して、離れた前記メインラインコンベヤと前記分岐コンベヤを連結していることを特徴とする（１）〜（４）のいずれかに記載の荷物仕分けライン。
【発明の効果】
【０００８】
本発明の荷物仕分けラインは、荷物をサブラインコンベヤに送り出す巻き掛け搬送体のベルトの動きの反転作業をなくし、並列した二つの浮き出し式ソータでサブラインコンベヤの分岐コンベヤのそれぞれに荷物を引き渡すようにしているので、仕分けられる荷物の処理量が従来のものより格段に多い。また、本発明の荷物仕分けラインは、片側にしか分岐コンベヤを有さないサブラインコンベヤへの荷物の仕分けにも同じ巻き掛け搬送体を持つ浮き出し式ソータを利用しているので、このような場合でも迅速かつ確実な荷物の仕分けが可能である。
【図面の簡単な説明】
【０００９】
【図１】従来の浮き出し式ソータを使用した荷物仕分けラインの概略図を示す。
【図２】本発明の第一実施態様の浮き出し式ソータを使用した荷物仕分けラインの概略図を示す。
【図３】本発明の第二実施態様の浮き出し式ソータを使用した荷物仕分けラインの概略図を示す。
【図４】本発明の第三実施態様の浮き出し式ソータを使用した荷物仕分けラインの概略図を示す。
【図５】本発明の第四実施態様の浮き出し式ソータを使用した荷物仕分けラインの概略図を示す。
【図６】本発明の第一実施態様の浮き出し式ソータを使用した荷物仕分けラインの変形例の概略図を示す。
【図７】本発明の第二実施態様の浮き出し式ソータを使用した荷物仕分けラインの変形例の概略図を示す。
【図８】本発明の第三実施態様の浮き出し式ソータを使用した荷物仕分けラインの変形例の概略図を示す。
【図９】本発明の第四実施態様の浮き出し式ソータを使用した荷物仕分けラインの変形例の概略図を示す。
【図１０】図２の荷物仕分けラインの浮き出し式ソータの巻き掛け搬送体の昇降及び起動のタイムチャートの一例を示す。
【図１１】図３の荷物仕分けラインの浮き出し式ソータの巻き掛け搬送体の昇降及び起動のタイムチャートの一例を示す。
【図１２】図４または５の荷物仕分けラインの浮き出し式ソータの巻き掛け搬送体の昇降及び起動のタイムチャートの一例を示す。
【図１３】本発明の荷物仕分けラインに設置される浮き出し式ソータの説明図を示す。
【図１４】本発明の荷物仕分けラインに使用できる浮き出し式ソータの側面図を示す。
【発明を実施するための形態】
【００１０】
以下、本発明の荷物仕分けラインの実施態様を図面を参照しながら説明するが、本発明はこれらに限定されるものではない。
【００１１】
（第一実施態様）
図２は、本発明の第一実施態様の浮き出し式ソータを使用した荷物仕分けラインの概略図を示す。図２からわかるように、本発明の第一実施態様の荷物仕分けラインは、メインラインコンベヤ１と、メインラインコンベヤ１と直交して設けられたサブラインコンベヤ２と、メインラインコンベヤ１とサブラインコンベヤ２が直交する部分に設けられた二つの浮き出し式ソータ３とを含んでおり、二つの浮き出し式ソータ３はメインラインコンベヤ１の搬送方向（矢印の方向）に前後して設けられている。サブラインコンベヤ２は、メインラインコンベヤ１の両側（図２では上側及び下側）に分岐して設けられた二つの分岐コンベヤからなり、これらの分岐コンベヤは互いにメインラインコンベヤから離れる方向を搬送方向とする。サブラインコンベヤ２は、搬送ローラ、搬送ベルト、傾斜の付いた鉄板シュート、フリーローラからなるものであってもよい。
【００１２】
浮き出し式ソータ３は、図１３に示すように、メインラインコンベヤ１の搬送方向（矢印の方向）に荷物を搬送する搬送ローラ５と、搬送ローラ５を挟んで上昇又は下降する二つの巻き掛け搬送体４とを含み、荷物が浮き出し式ソータ３に到着したとき、巻き掛け搬送体４は、荷物をサブラインコンベヤ２の分岐コンベヤのいずれかの方向又は下流のメインラインコンベヤの方向に仕分けるために上昇又は下降する。巻き掛け搬送体４の上昇時には、浮き出し式ソータに到着した荷物は巻き掛け搬送体４上に直接載り、巻き掛け搬送体４によって、そのベルトの回転方向に従って荷物をサブラインコンベヤ２の分岐コンベヤのいずれかに引き渡し、巻き掛け搬送体４の下降時には、浮き出し式ソータに到着した荷物は搬送ローラ５上に直接載り、前後のローラ（即ち、上流のメインラインコンベヤのプーリー８、下流のメインコンベヤのプーリー９、駆動ローラ７、又は案内ローラ６）と共に搬送ローラ５によって荷物を下流のメインラインコンベヤ１に引き渡すようになっている。なお、図１３は、説明の都合上、浮き出し式ソータ３を一つしか描いていない。
【００１３】
次に、本発明の第一実施態様の荷物仕分けラインに使用できる浮き出し式ソータの側面図を図１４に示す。図１４の浮き出し式ソータ３は、図１３中の浮き出し式ソータを正面から９０°横から見た状態で描かれている。図１４からわかるように、巻き掛け搬送体４には荷物を載せて搬送するベルトがＴ字状に巻かれており、このベルトは、荷物仕分けラインに設置されて稼動する時には従来の浮き出し式ソータの巻き掛け搬送体のように正逆方向を動かず、一方の方向にしか動かないようになっている。また、図１４からわかるように、巻き掛け搬送体４の上昇・下降は、モータとそれと接続されたリンク機構からなる上昇・下降装置１０で行われるようになっている。
【００１４】
また、第一実施態様では、図２からわかるように、上記の一方の方向にしか動かない巻き掛け搬送体を有する二つの浮き出し式ソータをそれぞれメインラインコンベヤの搬送方向に前後して設け、さらに前側の浮き出し式ソータの巻き掛け搬送体（図２では左側のもの）が一方の分岐コンベヤの方向（図２では下方向）に荷物を引き渡し、後側の浮き出し式ソータの巻き掛け搬送体（図２では右側のもの）が他方の分岐コンベヤの方向（図２では上方向）に荷物を引き渡すようになっている。このような二つの浮き出し式ソータの配置及び巻き掛け搬送体の搬送方向の設定により、サブラインコンベヤの分岐コンベヤのいずれかに荷物を引き渡す動作を迅速に行うことができ、仕分けられる荷物の処理量を格段に向上することができる。
【００１５】
実際の動作では、上流のメインラインコンベヤ（図２の浮き出し式ソータ３より左側のメインラインコンベヤ１）から下流のメインラインコンベヤ（図２の浮き出し式ソータ３より右側のメインラインコンベヤ１）に荷物を引き渡したい場合は、前側の浮き出し式ソータも後側の浮き出し式ソータも巻き掛け搬送体を下降させた状態にして荷物を巻き掛け搬送体のベルトと接触させずにそれぞれの搬送ローラ上に順次載るようにし、搬送ローラによって荷物を下流のメインラインコンベヤに引き渡す。また、上流のメインラインコンベヤからサブラインコンベヤの下方向の分岐コンベヤに荷物を引き渡したい場合は、前側の浮き出し式ソータの巻き掛け搬送体を上昇させ、後側の浮き出し式ソータの巻き掛け搬送体を下降させた状態にして荷物を前側の浮き出し式ソータの巻き掛け搬送体上に載るようにし、前側の浮き出し式ソータの巻き掛け搬送体の搬送方向に従って荷物を下方向の分岐コンベヤに引き渡す。また、上流のコンベヤからサブラインコンベヤの上方向の分岐コンベヤに荷物を引き渡したい場合は、前側の浮き出し式ソータの巻き掛け搬送体を下降させ、後側の浮き出し式ソータの巻き掛け搬送体を上昇させた状態にして、まず荷物を前側の浮き出し式ソータの搬送ローラ上に載せて後側の浮き出し式ソータ側に引き渡し、次いで後側の浮き出し式ソータの巻き掛け搬送体上に載せて後側の浮き出し式ソータの巻き掛け搬送体の搬送方向に従って荷物を上方向の分岐コンベヤに引き渡す。
【００１６】
上記の三方向のコンベヤのいずれかへの荷物の引き渡しやそのための浮き出し式ソータの作動の制御は、例えば荷物が浮き出し式ソータに到着する前に荷物の仕分け方向を記載した荷物に付されたバーコードをバーコードリーダによって検知して仕分け方向を決定し、さらに、荷物の頭部分を光電センサで検知することによって荷物のスライドコンベヤへの到着予定時間を算出して浮き出し式ソータの作動の方法とタイミングを決定することによって行う。
【００１７】
本発明の第一実施態様の浮き出し式ソータの巻き掛け搬送体の上昇及び起動のタイムチャートの一例を図１０に示す。図１０からわかるように、荷物Ａを前側の浮き出し式ソータで一方の分岐コンベヤに引き渡したい場合、荷物Ａはまず光電センサにより荷物Ａの頭を検知され、荷物頭の検知から巻き掛け搬送体１の昇降までの時間（昇降タイミングＴ１）が決定される。このとき、巻き掛け搬送体１の起動の開始時と起動時間と上昇時間（上昇信号、下降信号のタイミング）が決定される。一方、荷物Ａに続く荷物Ｂを後側の浮き出し式ソータで他方の分岐コンベヤに引き渡したい場合、荷物Ｂはまず光電センサにより荷物Ｂの頭とともに荷物Ａとの間の荷物頭ピッチ差を検知され、荷物頭検知から巻き掛け搬送体の昇降までの時間（昇降タイミングＴ２）が決定される。このとき、巻き掛け搬送体１の起動の終了時と起動時間を考慮して、巻き掛け搬送体２の起動の開始時と起動時間と上昇時間（上昇信号、下降信号のタイミング）が決定される。この方法では、巻き掛け搬送体の荷物Ａと荷物Ｂが重ならない限り、巻き掛け搬送体１，２は異なる仕分け方向の荷物Ａ，Ｂを連続して所望の分岐コンベヤに引き渡すことができる。
【００１８】
（第二実施態様）
図３は、本発明の第二実施態様の浮き出し式ソータを使用した荷物仕分けラインの概略図を示す。図３からわかるように、本発明の第二実施態様の荷物仕分けラインは、メインラインコンベヤ１と、メインラインコンベヤ１と直交して設けられたサブラインコンベヤ２と、メインラインコンベヤ１とサブラインコンベヤ２が直交する部分に設けられた二つの浮き出し式ソータ３とを含んでおり、二つの浮き出し式ソータ３はサブラインコンベヤ２の分岐コンベヤ間で前後して設けられている。本発明の第二実施態様に使用される浮き出し式ソータ３は、第一実施態様で既に説明した図１３、図１４の浮き出し式ソータ３と基本的に同じものを使用することができる。サブラインコンベヤ２は、メインライン１の両側（図３では上側及び下側）に分岐して設けられた二つの分岐コンベヤからなり、これらの分岐コンベヤは互いにメインラインコンベヤから離れる方向を搬送方向とする。サブラインコンベヤ２は、搬送ローラ、搬送ベルト、傾斜の付いた鉄板シュート、フリーローラからなるものであってもよい。
【００１９】
第二実施態様では、図３からわかるように、一方の方向にしか動かない巻き掛け搬送体を有する二つの浮き出し式ソータ３をそれぞれサブラインコンベヤ２の分岐コンベヤ間で前後して設け、二つの浮き出し式ソータ３がそれぞれ上側又は下側の分岐コンベヤのいずれかの近くに位置されるようにしている。従って、図３では、上側の浮き出し式ソータ３は上側の分岐コンベヤの近くに位置されて荷物を図３の上方向に引き渡し、下側の浮き出し式ソータ３は下側の分岐コンベヤの近くに位置されて荷物を図３の下方向に引き渡すようになっている。また、第二実施態様では、図３の上側又は下側の浮き出し式ソータ３のいずれかの方向に荷物を引き渡すために、浮き出し式ソータ３に到着する前の荷物をメインラインコンベヤ１のいずれかの側（上側又は下側）に予め片寄せする必要があり、そのための片寄せ機構が設けられている。片寄せ機構としては、従来公知のものを適宜採用することができ、例えば外寄せ式ローラコンベヤなどを使用することができる。
【００２０】
実際の動作では、上流のメインラインコンベヤ（図３の浮き出し式ソータ３より左側のメインラインコンベヤ１）から下流のメインラインコンベヤ（図３の浮き出し式ソータ３より右側のメインラインコンベヤ１）に荷物を引き渡したい場合は、上側の浮き出し式ソータも下側の浮き出し式ソータも巻き掛け搬送体を下降された状態にして荷物を巻き掛け搬送体のベルトと接触させずにいずれかの搬送ローラ上に載るようにし、搬送ローラによって荷物を下流のメインラインコンベヤに引き渡す。また、上流のメインラインコンベヤからサブラインコンベヤの下方向の分岐コンベヤに荷物を引き渡したい場合は、予め荷物をメインラインコンベヤの下側に片寄せした後、下側の浮き出し式ソータの巻き掛け搬送体を上昇させ、上側の浮き出し式ソータの巻き掛け搬送体を下降させた状態にして荷物を下側の浮き出し式ソータの巻き掛け搬送体上に載るようにし、下側の浮き出し式ソータの巻き掛け搬送体の搬送方向に従って荷物を下側の分岐コンベヤに引き渡す。また、下流のメインラインコンベヤからサブラインコンベヤの上方向の分岐コンベヤに荷物を引き渡したい場合は、予め荷物をメインラインコンベヤの上側に片寄せした後、上側の浮き出し式ソータの巻き掛け搬送体を上昇させ、下側の浮き出し式ソータの巻き掛け搬送体を下降させた状態にして荷物を上側の浮き出し式ソータの巻き掛け搬送体上に載るようにし、上側の浮き出し式ソータの巻き掛け搬送体の搬送方向に従って荷物を上側の分岐コンベヤに引き渡す。
【００２１】
上記の三方向のコンベヤのいずれかへの荷物の引き渡しやそのための浮き出し式ソータの作動の制御は、例えば荷物が浮き出し式ソータに到着する前に荷物の仕分け方向を記載した荷物に付されたバーコードをバーコードリーダによって検知して仕分け方向を決定し、さらに、荷物の頭部分を光電センサで検知することによって荷物のスライドコンベヤへの到着予定時間を算出して浮き出し式ソータの作動の方法とタイミングを決定することによって行う。第二実施態様では、上側又は下側の分岐コンベヤのいずれかへの荷物の引き渡しは、浮き出し式ソータより前のメインラインコンベヤに設けた片寄せ機構による片寄せ方向に依存する。
【００２２】
本発明の第二実施態様の浮き出し式ソータの巻き掛け搬送体の上昇及び起動のタイムチャートの一例を図１１に示す。図１１からわかるように、荷物Ａを下側の浮き出し式ソータで下側の分岐コンベヤに引き渡したい場合、予め荷物Ａをメインラインコンベヤの下側に片寄せした後、荷物Ａはまず光電センサにより荷物Ａの頭を検知され、荷物頭の検知から巻き掛け搬送体の昇降までの時間（昇降タイミングＴ１）が決定される。このとき、巻き掛け搬送体の起動の開始時と起動時間と上昇時間（上昇信号、下降信号のタイミング）が決定される。一方、荷物Ａに続く荷物Ｂを上側の浮き出し式ソータで上側の分岐コンベヤに引き渡したい場合、予め荷物Ｂをメインラインコンベヤの上側に片寄せした後、荷物Ｂはまず光電センサにより荷物Ｂの頭とともに荷物Ａとの間の荷物頭ピッチ差を検知され、荷物頭検知から巻き掛け搬送体の昇降までの時間（昇降タイミングＴ１）が決定される。このとき、巻き掛け搬送体１の起動の終了時と起動時間を考慮して、巻き掛け搬送体２の起動の開始時と起動時間と上昇時間（上昇信号、下降信号のタイミング）が決定される。この方法では、荷物Ａと荷物Ｂは同じ方向に引き渡すものが重ならない限り、巻き掛け搬送体１，２は異なる仕分け方向の荷物Ａ，Ｂを連続して所望の分岐コンベヤに引き渡すことができる。
【００２３】
（第三実施態様）
図４は、本発明の第三実施態様の浮き出し式ソータを使用した荷物仕分けラインの概略図を示す。図４からわかるように、本発明の第三実施態様の荷物仕分けラインは、メインラインコンベヤ１と、メインラインコンベヤ１と直交して設けられたサブラインコンベヤ２と、メインラインコンベヤ１とサブラインコンベヤ２が直交する部分に設けられた一つの浮き出し式ソータ３を含んでいる。本発明の第三実施態様に使用される浮き出し式ソータ３は、第一実施態様で既に説明した図１３、図１４の浮き出し式ソータ３と基本的に同じものを使用することができる。サブラインコンベヤ２は、メインラインコンベヤ１の片側（図４では下側）に分岐して設けられた分岐コンベヤからなり、この分岐コンベヤはメインラインコンベヤ１から離れる方向を搬送方向とする。サブラインコンベヤ２は、搬送ローラ、搬送ベルト、傾斜の付いた鉄板シュート、フリーローラからなるものであってもよい。
【００２４】
第三実施態様では、図４からわかるように、一方の方向にしか動かない巻き掛け搬送体を有する一つの浮き出し式ソータ３は、サブラインコンベヤ２の分岐コンベヤの前に位置され、しかもメインラインコンベヤ１の幅全体にわたって設けられている。従って、図４では、浮き出し式ソータ３は荷物を巻き掛け搬送体によって下側の分岐コンベヤに引き渡すか又は搬送ローラによって下流のメインラインコンベヤに引き渡すようになっている。
【００２５】
実際の動作では、上流のメインラインコンベヤ（図４の浮き出し式ソータ３より左側のメインラインコンベヤ１）から下流のメインラインコンベヤ（図４の浮き出し式ソータ３より右側のメインラインコンベヤ１）に荷物を引き渡したい場合は、浮き出し式ソータは巻き掛け搬送体を下降された状態にして荷物を巻き掛け搬送体のベルトと接触させずに搬送ローラ上に載るようにし、搬送ローラによって荷物を下流のメインラインコンベヤに引き渡す。また、上流のメインラインコンベヤからサブラインコンベヤの分岐コンベヤに荷物を引き渡したい場合は、浮き出し式ソータの巻き掛け搬送体を上昇させ、荷物を巻き掛け搬送体上に載るようにし、巻き掛け搬送体の搬送方向に従って荷物を分岐コンベヤに引き渡す。
【００２６】
上記の二方向のコンベヤのいずれかへの荷物の引き渡しやそのための浮き出し式ソータの作動の制御は、例えば荷物が浮き出し式ソータに到着する前に荷物の仕分け方向を記載した荷物に付されたバーコードをバーコードリーダによって検知して仕分け方向を決定し、さらに、荷物の頭部分を光電センサで検知することによって荷物のスライドコンベヤへの到着予定時間を算出して浮き出し式ソータの作動の方法とタイミングを決定することによって行う。
【００２７】
本発明の第三実施態様の浮き出し式ソータの巻き掛け搬送体の上昇及び起動のタイムチャートの一例を図１２に示す。図１２からわかるように、荷物Ａを浮き出し式ソータでサブラインコンベヤの分岐コンベヤに引き渡したい場合、荷物Ａはまず光電センサにより荷物Ａの頭を検知され、荷物頭の検知から巻き掛け搬送体の昇降までの時間（昇降タイミングＴ１）が決定される。このとき、巻き掛け搬送体の起動の開始時と起動時間と上昇時間（上昇信号、下降信号のタイミング）が決定される。一方、荷物Ａに続く荷物Ｂを下流のメインラインコンベヤに引き渡したい場合、荷物Ｂはまず光電センサにより荷物Ｂの頭とともに荷物Ａとの間の荷物頭ピッチ差が検知され、荷物頭検知から巻き掛け搬送体の降下を維持する時間が決定される。この方法では、巻き掛け搬送体の荷物Ａと荷物Ｂが重ならない限り、巻き掛け搬送体は異なる仕分け方向の荷物Ａ，Ｂを連続して処理することができる。
【００２８】
（第四実施態様）
図５は、本発明の第四実施態様の浮き出し式ソータを使用した荷物仕分けラインの概略図を示す。図５からわかるように、本発明の第四実施態様の荷物仕分けラインは、メインラインコンベヤ１と、メインラインコンベヤ１と直交して設けられたサブラインコンベヤ２と、メインラインコンベヤ１とサブラインコンベヤ２が直交する部分に設けられた一つの浮き出し式ソータ３とを含んでいる。本発明の第四実施態様に使用される浮き出し式ソータ３は、第一実施態様で既に説明した図１３、図１４の浮き出し式ソータ３と基本的に同じものを使用することができる。サブラインコンベヤ２は、メインラインコンベヤ１の片側（図５では下側）に分岐して設けられた分岐コンベヤからなり、この分岐コンベヤはメインラインコンベヤ１から離れる方向を搬送方向とする。浮き出し式ソータ３はメインラインコンベヤ１の全幅にわたって設けられず、分岐コンベヤ側からメインラインコンベヤ１の幅の３０〜９０％、好ましくは４０〜７０％の長さで設けられており、浮き出し式ソータ３が設けられていないメインラインコンベヤ１の幅の残りの部分は荷物を下流のメインラインコンベヤの搬送方向に引き渡すようになっている。サブラインコンベヤ２は、搬送ローラ、搬送ベルト、傾斜の付いた鉄板シュート、フリーローラからなるものであってもよい。
【００２９】
第四実施態様では、図５からわかるように、一方の方向にしか動かない巻き掛け搬送体を有する一つの浮き出し式ソータ３をサブラインコンベヤ２の分岐コンベヤ側にメインラインコンベヤ１の幅の一部に渡って設けている。従って、図５ではメインラインコンベヤ１の幅の下側に設けられた浮き出し式ソータ３は下側の分岐コンベヤに隣接して位置されて荷物を図５の下方向に引き渡し、メインラインコンベヤ１の残りの幅の上側の浮き出し式ソータのない部分は荷物を図５の右方向のメインラインコンベヤ１に引き渡すようになっている。また、第四実施態様では、図５のメインラインコンベヤ１の幅の下側の浮き出し式ソータ側と上側の浮き出し式ソータのない側のいずれかの方向に荷物を引き渡すために、浮き出し式ソータ３に到着する前の荷物をメインラインコンベヤの下側に予め片寄せする必要があり、そのための片寄せ機構が設けられている。片寄せ機構としては、従来公知のものを適宜採用することができ、例えば片寄せ式ローラコンベヤなどを使用することができる。
【００３０】
実際の動作では、上流のメインラインコンベヤ（図５の浮き出し式ソータ３より左側のメインラインコンベヤ１）から下流のメインラインコンベヤ（図５の浮き出し式ソータ３より右側のメインラインコンベヤ１）に荷物を引き渡したい場合は、予め荷物をメインラインコンベヤの下側に片寄せした後、下側の浮き出し式ソータの巻き掛け搬送体を下降させた状態にして荷物を通過させ、下流のメインラインコンベヤに引き渡す。また、上流のメインラインコンベヤからサブラインコンベヤの分岐コンベヤに引き渡したい場合は、予め荷物をメインラインコンベヤの下側に片寄せした後、浮き出し式ソータの巻き掛け搬送体を上昇させて荷物を浮き出し式ソータの巻き掛け搬送体上に載るようにし、浮き出し式ソータの巻き掛け搬送体の搬送方向に従って荷物を分岐コンベヤに引き渡す。
【００３１】
上記の二方向のコンベヤのいずれかへの荷物の引き渡しやそのための浮き出し式ソータの作動の制御は、例えば荷物が浮き出し式ソータに到着する前に荷物の仕分け方向を記載した荷物に付されたバーコードをバーコードリーダによって検知して仕分け方向を決定し、さらに、荷物の頭部分を光電センサで検知することによって荷物のスライドコンベヤへの到着予定時間を算出して浮き出し式ソータの作動の方法とタイミングを決定することによって行う。第四実施態様では、分岐コンベヤへの荷物の引き渡しは、浮き出し式ソータより前のメインラインコンベヤに設けた片寄せ機構による片寄せ方向に依存する。第四実施態様の浮き出し式ソータの巻き掛け搬送体の上昇及び起動のタイムチャートは、図１２に示された第三実施態様のものと基本的に同じにすることができる。
【００３２】
（その他の態様）
図６〜図９は、本発明の第一実施態様〜第四実施態様の荷物仕分けラインの変形例を示す。図６〜図９からわかるように、この変形例は、メインラインコンベヤ１とサブラインコンベヤ２の分岐コンベヤが離れており、浮き出し式ソータ３の巻き掛け搬送体がメインラインコンベヤ１の幅からはみ出して、離れたメインラインコンベヤ１とサブラインコンベヤ２の分岐コンベヤを連結している点で図２〜図５の第一実施態様〜第四実施態様とは異なる。メインラインコンベヤ１と分岐コンベヤは通常２０〜８０ｃｍ、好ましくは３０〜６０ｃｍ離れており、このような離れた部分を巻き掛け搬送体のみを延長して連結することにより、作業者がサブラインコンベヤをまたいで移動したいときに巻き掛け搬送体の幅の両横にステップ台を置くことによって作業者はホーム内でのラインをまたぐ移動を容易に行うことができる。
【００３３】
上記の説明では、本発明の荷物仕分けラインの典型例を示したが、一方の方向にしか動かない巻き掛け搬送体を有する浮き出し式ソータを上述の配置で設置して荷物を仕分けすることができる限り、当業者に従来公知の技術の追加、変更、組み合わせ等を行うことは本発明の範ちゅうに属するものである。
【産業上の利用可能性】
【００３４】
本発明の荷物仕分けラインは、浮き出し式ソータを使用してメインラインコンベヤ上の荷物を直交して設けられたサブラインコンベヤ上に引き渡すことができる荷物仕分けラインにおいて、荷物の仕分け処理量を大幅に向上させているので、大量の荷物の仕分けが要求されるトラックターミナルや物流センターなどにおいて極めて有用である。
【符号の説明】
【００３５】
１    メインラインコンベヤ
２    サブラインコンベヤ
３    浮き出し式ソータ
４    巻き掛け搬送体
５    搬送ローラ
６    案内ローラ
７    駆動ローラ
８    プーリー
９    プーリー
１０  上昇・下降装置
【図１０】
2011073828.tif 000003
【図１１】
2011073828.tif 000004
【図１２】
2011073828.tif 000005
【図１４】
2011073828.tif 000006
【図１】
2011073828.tif 000007
【図２】
2011073828.tif 000008
【図３】
2011073828.tif 000009
【図４】
2011073828.tif 000010
【図５】
2011073828.tif 000011
【図６】
2011073828.tif 000012
【図７】
2011073828.tif 000013
【図８】
2011073828.tif 000014
【図９】
2011073828.tif 000015
【図１３】
2011073828.tif 000016